(57)【要約】     【課題】  住宅などの天井に設ける点検口に於いて、気密性を向上させると共に、点検口蓋体の開閉操作を容易にし、かつ、蓋体の取外しを可能にすると共に、不用意な脱落を防止する。    【解決手段】  天井の点検口開口２と、別体の点検口蓋体１とからなる。蓋体２は、蓋基板４の外周を蓋枠５で囲ってある。蓋枠５の内側の外周には柔軟弾性材７が付いている。蓋枠５と開口２との間には、互に着脱自在なヒンジ３と、ヒンジ脱落防止具１６とが付いている。蓋枠５の反ヒンジ側には、開口２との間で係脱自在な開閉係止具２０が付いている。【選択図】  図１
2005048499.tif 000002
【特許請求の範囲】
【請求項１】
天井に設けられた点検口開口と、別体の点検口蓋体とからなり
、前記蓋体は蓋基板の外周を蓋枠で囲ってなり、蓋枠の内側の外周には柔軟弾性
材が取付けられていて、この柔軟弾性材は閉蓋時に開口の角と当接するようにな
り、更に蓋枠と開口との間には、互に着脱自在なヒンジと、ヒンジ脱落防止具と
が設けられ、また、蓋枠の反ヒンジ側には、開口との間で係脱自在な開閉掛止具
が取付けられている気密形天井点検口。
【請求項２】
開口にはヒンジ金具が取付けられ、このヒンジ金具の一部は外方
に突出していて、この突出部にはロッドが付いており、他方、蓋枠の外周縁には
ロッドが嵌入できる孔が形成され、かつ、外周縁の一部に切欠が設けられていて
、この切欠と突出部とを嵌合させると共に、ロッドを孔に嵌入させることによっ
て、ヒンジが構成され、またヒンジ金具には押えレバーが付いていて、ヒンジ結
合後に、切欠の余った部分に押えレバーを押込めば、ヒンジが分離不可能状態に
なる請求項１記載の気密形天井点検口。
【請求項３】
蓋枠の反ヒンジ側に開閉掛止具が取付けられ、この掛止具は蓋枠
に回動自在に支持されていて、掛止具の頭は蓋枠の外に露出しており、また掛止
具の先端には掛止片が設けられていて、この掛止片は掛止具を回動させると旋回
し、他方、開口には閉蓋時に掛止片と係脱する掛止受けが取付けられている請求
項１記載の気密形天井点検口
【発明の詳細な説明】
【技術分野】
【０００１】
本発明は、住宅などの建物の天井に設ける、気密形の点検口に関する。
【背景技術】
【０００２】
従来から開閉操作が簡単にできる天井点検口は、色々な形態のものが提案され
ている。通常、点検口蓋体は、４角形の板状体で、これを天井に設けた４角形の
点検口開口に開閉自在に取付けられている。更に、取付形式は、一方縁にヒンジ
を設け、反対縁に掛止具を設けるのが一般的であり、その上、ヒンジを取外自在
にするのが通例である。また、このヒンジが不用意に離脱するのを防ぐための脱
落防止具を備えたものも提案されている（例えば、特許文献１参照）。また、掛
止具を、専用具によらず、簡単な操作で係脱できるようにしたものも提案されて
いる（例えば、特許文献２参照）。
【０００３】
【特許文献１】特開２００３−１２００１２号公報
【特許文献２】特開２００３−７４１８１号公報
【発明の開示】
【発明が解決しようとする課題】
【０００４】
ところが、前記従来の点検口は、ほとんどが２重枠構成であって、外枠を天井
の点検口開口に取付け、内枠を点検口蓋体に取付ける形式である。この為、枠を
２重にした分だけ構造が複雑になる上に、２重の枠が外から見えて、外観体裁を
損なうという問題がある。その上、２重の枠の間には隙間ができるが、これの遮
蔽対策が採られていないので、気密性が悪くて、部屋の保温に支障がでる。更に
、ヒンジの脱落防止具や、閉止時の掛止具の構成も複雑で、操作に手間どるとい
う問題がある。
【０００５】
本発明は、このような点に鑑み、枠を１重にして、構成の簡素化を図ると共に
、外観体裁を良くし、加えて、気密性を向上させた天井点検口を提供するにある
。また、脱落防止具や掛止具の構造を簡単にして、操作性を向上させた天井点検
口を提供するにある。
【課題を解決するための手段】
【０００６】
本発明の点検口の技術的手段は、天井に設けられた点検口開口と、別体の点検
口蓋体とからなり、前記蓋体は蓋基板の外周を蓋枠で囲ってなり、蓋枠の内側の
外周には柔軟弾性材が取付けられていて、この柔軟弾性材は閉蓋時に開口の角と
当接するようになり、更に蓋枠と開口との間には、互に着脱自在なヒンジと、ヒ
ンジ脱落防止具とが設けられ、また、蓋枠の反ヒンジ側には、開口との間で係脱
自在な開閉掛止具が取付けられていることにある。
【０００７】
また、開口にはヒンジ金具が取付けられ、このヒンジ金具の一部は外方に突出
していて、この突出部にはロッドが付いており、他方、蓋枠の外周縁にはロッド
が嵌入できる孔が形成され、かつ、外周縁の一部に切欠が設けられていて、この
切欠と突出部とを嵌合させると共に、ロッドを孔に嵌入させることによって、ヒ
ンジが構成され、またヒンジ金具には押えレバーが付いていて、ヒンジ結合後に
、切欠の余った部分に押えレバーを押込めば、ヒンジが分離不可能状態になるよ
うにしてもよい。更に、蓋枠の反ヒンジ側に開閉掛止具が取付けられ、この掛止
具は蓋枠に回動自在に支持されていて、掛止具の頭は蓋枠の外に露出しており、
また掛止具の先端には掛止片が設けられていて、この掛止片は掛止具を回動させ
ると旋回し、他方、開口には閉蓋時に掛止片と係脱する掛止受けが取付けられて
いるようにすることも可能である。
【発明の効果】
【０００８】
本発明の点検口は、蓋体と開口とがヒンジ結合されているので、蓋体の開閉操
作が簡単であり、かつ、ヒンジは着脱自在である上に、不用意な脱落が阻止され
るため、取扱いが容易である。また、閉蓋時の固定操作や開蓋時の固定解除操作
が簡単である。更に、本発明では、枠は蓋体に付いているだけの１重構造である
為、構造が簡単である他、外からは１つの枠しか見えないので、外観体裁がよい
。また、蓋枠の外周には柔軟弾性材が取付けられていて、閉蓋時には開口の角と
当接して、蓋体と開口との隙間を埋めるので、気密性が良くなり、部屋の保温性
を向上できる。
【０００９】
請求項２のものでは、ヒンジの構造を簡単にでき、かつ、ヒンジの脱落防止を
簡単に行えるので、使用に便利である。
【００１０】
請求項３のものでは、蓋体の開閉時の掛止機構の係脱操作が簡単で、外からは
掛止具の頭しか見えないので、外観体裁に優れている。
【発明を実施するための最良の形態】
【００１１】
本発明の天井点検口の実施するための最良の形態を、図面の実施例に基づいて
説明する。図１は点検口の開放状態を示し、１は点検口蓋体、２は天井に設けら
れた点検口開口であり、両者はヒンジ３で開閉自在に連結されている。
【００１２】
蓋体１は、図２に示されるように、平面が４角形で、蓋基板４と、これの４周
を囲むように設けられた蓋枠５とからなる。蓋枠５は、アルミニウム押出型材製
で、これを４角に組み、この内側に蓋基板４を嵌め込んで、要所を固定用爪材６
で押えて作られている。また、蓋枠５の内側の外周部には、ゴム材などの柔軟弾
性材７が取付けられていて、この柔軟弾性材７は、閉蓋時に開口２の角を当接し
て、蓋枠５と開口２との間の隙間を遮蔽して、通気を遮断する役割を果たす。更
に、蓋枠５の外表面には、プラスチック製の外装カバー８が付設されている。
【００１３】
次に、点検口開口２について説明する。図１及び図３に示されるように、１１
は天井板、１２は根太である。開口２の一方の縁には、ヒンジ金具１３が取付け
られている。このヒンジ金具１３の下端には、複数箇所（図示例では２ヵ所）に
突出部１４が形成され、この突出部１４は開口２の外まで突出していて、その端
面にはロッド１５が取付けられている。更に、ヒンジ金具１３の突出部１４の反
ロッド位置には、脱落防止用の押えレバー１６が取付けられている。他方、蓋枠
５の外縁には切欠１７が形成されていて、この切欠１７の長さは、突出部１４と
押えレバー１６とを合わせた長さよりも、僅かに長い寸法に設定されている。更
に、蓋枠５の外周縁には、ロッド１５が嵌入できる孔１８が設けられている。従
って、ヒンジ３を図３の分離状態から結合させるには、先ず、押えレバー１６を
上げて無障害物状態にして、蓋枠５の切欠１７を突出部１４に嵌め、ロッド１５
を孔１８の入口に宛った状態で、横方向にスライドさせる。これにより、ロッド
１５は孔１８の中に嵌り込むようになる。その後、押えレバー１６を下げて、切
欠１７と突出部１４との間にできた間隙を埋めれば、蓋枠５の横移動は阻止され
るので、ロッド１５と孔１８との嵌結合状態は保持されて、抜け出せないように
なる。
【００１４】
次に開閉掛止具２０について説明する。図１、図２に示されるように掛止具２
０は、蓋枠５の反ヒンジ側に取付けられている。掛止具２０の軸２１は蓋枠５に
回動自在に支持されていて、軸２１の頭２２は、外装カバー８から外に露出して
いて、容易に回動操作できるようになっている。また、軸２１の先端には掛止片
２３が固着されていて、この掛止片２３は軸２１の回動に伴って旋回移動する。
他方、開口２には掛止受け２４が取付けられている。この掛止受け２４は２又状
になっていて、蓋体１を閉めた上で、掛止具２０を左右いずれかの側に約９０°
回動させると、掛止片２３と掛止受け２４とが係合するようになり、蓋体１の閉
止状態が保持される。また、蓋体１を開く時には、外から頭２２を約９０°回動
させることによって、簡単に開くことができる。
【００１５】
本発明は、前記の実施例に限定されるものではなく、特許請求の範囲の記載の
範囲内で自由に変形実施可能である。特に、ヒンジ３の結合構造や、脱落防止構
造、更には、掛止具２０の詳細な構造については自由である。
【図面の簡単な説明】
【００１６】
【図１】点検口の実施例の開蓋状態の断面図。
【図２】蓋体の裏面図。
【図３】ヒンジ部分の分離状態の正面図。
【符号の説明】
【００１７】
１        蓋体
２        開口
３        ヒンジ
４        蓋基板
５        蓋枠
６        固定用爪材
７        柔軟弾性材
１３      ヒンジ金具
１４      突出部
１５      ロッド
１６      押えレバー
１７      切欠
１８      孔
２０      開閉掛止具
２１      軸
２３      掛止片
２４      掛止受け
【図１】
2005048499.tif 000003
【図２】
2005048499.tif 000004
【図３】
2005048499.tif 000005